(57)【特許請求の範囲】
【請求項１】
外筒および押子を有するシリンジから薬液を送り出すためのシリンジポンプであって、
ユーザによるタッチ操作を受け付けることにより設定値を変更させるタッチパネルと、
前記タッチパネルが設けられた本体ユニットと、
前記本体ユニットに設けられ、前記シリンジの前記外筒を保持する保持部と、
前記シリンジの前記外筒に対して前記押子を移動させる駆動部と、
前記タッチパネルに入力された前記タッチ操作に基づき、前記シリンジから送り出される前記薬液の量に関する数値を前記設定値として設定する制御部と、を備え、
前記タッチパネルは、
円周方向の前記タッチ操作を受け付ける内周操作部と、
前記内周操作部の外側に設けられ、円周方向の前記タッチ操作を受け付ける外周操作部と、
円周方向に沿って延在する凸部または段差から構成され、前記内周操作部と前記外周操作部との間に形成された区画部と、を備え、
前記内周操作部に対して円周方向における特定の角度分だけ前記タッチ操作が行われた場合には前記設定値が第１変化量だけ変更され、
前記外周操作部に対して円周方向における前記特定の角度分だけ前記タッチ操作が行われた場合には前記設定値が前記第１変化量とは異なる第２変化量だけ変更される、
シリンジポンプ。
【請求項２】
前記第１変化量は、前記第２変化量よりも小さい、
請求項１に記載のシリンジポンプ。
【請求項３】
前記内周操作部、前記外周操作部および前記区画部は、円環状に延びる形状を有している、
請求項１または２に記載のシリンジポンプ。
【請求項４】
前記タッチ操作を受け付けたことに応答して振動を発生させる振動発生部をさらに備える、
請求項１から３のいずれか１項に記載のシリンジポンプ。
【請求項５】
前記本体ユニットは、前記押子の移動方向に対して平行となる長手方向に延びる形状を有しており、
前記タッチパネルは、前記本体ユニットの前記長手方向に対して交差する側面上に設けられている、
請求項１〜４のいずれか１項に記載のシリンジポンプ。
【発明の詳細な説明】
【技術分野】
【０００１】
本発明は、タッチパネルおよびシリンジポンプに関する。
【背景技術】
【０００２】
シリンジポンプは、シリンジ内の薬液を高い精度で患者に投与（注入）することができ、薬液の流量制御等が他の形式のポンプに比べて容易であることから多用されている。
【０００３】
特開２００４−０２４８８４号公報（特許文献１）に開示されているように、シリンジポンプは、設定値を変更するための手段として、設定ダイヤルを備えている。ユーザが設定ダイヤルを回すことで、シリンジから送り出される薬液の量に関する数値が設定される。
【先行技術文献】
【特許文献】
【０００４】
【特許文献１】特開２００４−０２４８８４号公報
【発明の概要】
【発明が解決しようとする課題】
【０００５】
特開２００４−０２４８８４号公報（特許文献１）に開示された設定ダイヤルは、いわゆるジョグダイヤル式である。ユーザは、本体ユニットに対して設定ダイヤルを物理的に回転させることで、シリンジから送り出される薬液の量に関する数値を設定することができる。
【０００６】
数値を設定する際、現在設定されている（表示部に表示されている）数値から数値を大きく変更したい場合がある。この場合、ユーザは設定ダイヤルをたとえば高速で複数回回転させることで、迅速に数値を変更できる。数値を大きく変更したいような場合には、設定ダイヤルに入力される回転角度や回転速度に対して、数値の変化量（増減量）は大きい方が、操作性が高い。
【０００７】
逆に、現在設定されている（表示部に表示されている）数値から小さく数値を変更したい場合もある。この場合、ユーザは設定ダイヤルをたとえば低速でわずかに回転させることで、数値を小さく正確に変更できる。数値を小さく正確に変更したいような場合には、設定ダイヤルに入力される回転角度や回転速度に対して、数値の変化量（増減量）は小さい方が、操作性が高い。
【０００８】
特開２００４−０２４８８４号公報（特許文献１）に開示されたジョグダイヤル式の設定ダイヤルでは、数値を大きく変更する場合と数値を小さく変更する場合との両方の要求に対して、十分に満足できる操作性をユーザに提供することは難しい。近年ではタッチパネルが各種の分野で用いられているが、このような要求に対してはタッチパネルも十分な操作性をユーザーに提供できていない。すなわち、迅速に数値設定を行なうことができるという操作性の点で、従来の設定手段には改良の余地が存在していた。
【０００９】
また、ジョグダイヤル式の設定ダイヤルを備えたシリンジポンプにおいては、シリンジ内の薬液が飛散したり漏洩したりした場合に、薬液が本体ユニット（ダイヤル配置孔）と設定ダイヤルとの間の隙間に入り込むことがある。薬液が隙間の中で固化したり硬化したりすると、設定ダイヤルを回転させるために必要な抵抗が増大し、ユーザは設定ダイヤルを操作しにくくなる。すなわち、ジョグダイヤル式の設定ダイヤルを備えた従来のシリンジポンプにおいては、ジョグダイヤル式の設定ダイヤルを本体から取り外し、清掃したり洗浄したりすることが定期的に必要となる場合があった。
【００１０】
本発明は、上記のような実情に鑑みて為されたものであって、設置値を変更させる際に従来のジョグダイヤル式の設定ダイヤルに比べて操作性に優れたタッチパネルを提供するとともに、操作性およびメンテンナンス性に優れたシリンジポンプを提供することを目的とする。
【課題を解決するための手段】
【００１１】
本発明に基づくタッチパネルは、ユーザによるタッチ操作を受け付けることにより設置値を変更させるタッチパネルであって、円周方向の上記タッチ操作を受け付ける内周操作部と、上記内周操作部の外側に設けられ、円周方向の上記タッチ操作を受け付ける外周操作部と、円周方向に沿って延在する凸部または段差から構成され、上記内周操作部と上記外周操作部との間に形成された区画部と、を備え、上記内周操作部に対して円周方向における特定の角度分だけ上記タッチ操作が行われた場合には上記設定値が第１変化量だけ変更され、上記外周操作部に対して円周方向における上記特定の角度分だけ上記タッチ操作が行われた場合には上記設定値が上記第１変化量とは異なる第２変化量だけ変更される。
【００１２】
上記の構成によれば、タッチパネルは、物理的に回転するような部位を有しておらず、表面を拭くだけで汚れを簡単に除去できる。また、タッチパネルの内周操作部に対してタッチ操作が行われた場合と、タッチパネルの外周操作部に対してタッチ操作が行われた場合とで、設定値の増減量（変化量）が異なるため、数値を大きく変更させたい場合と数値を小さく変更させたい場合との両方の要求に対して満足し得る操作性を得ることができる。
【００１３】
上記タッチパネルにおいて好ましくは、上記第１変化量は、上記第２変化量よりも小さい。
【００１４】
上記タッチパネルにおいて好ましくは、上記内周操作部、上記外周操作部および上記区画部は、円環状に延びる形状を有している。
【００１５】
上記タッチパネルは、好ましくは、上記タッチ操作を受け付けたことに応答して振動を発生させる振動発生部をさらに備える。
【００１６】
本発明に基づくシリンジポンプは、外筒および押子を有するシリンジから薬液を送り出すためのシリンジポンプであって、本発明に基づく上記のタッチパネルと、上記タッチパネルが設けられた本体ユニットと、上記本体ユニットに設けられ、上記シリンジの上記外筒を保持する保持部と、上記シリンジの上記外筒に対して上記押子を移動させる駆動部と、上記タッチパネルに入力された上記タッチ操作に基づき、上記シリンジから送り出される上記薬液の量に関する数値を上記設定値として設定する制御部と、を備える。
【００１７】
上記シリンジポンプにおいて好ましくは、上記本体ユニットは、上記押子の移動方向に対して平行となる長手方向に延びる形状を有しており、上記タッチパネルは、上記本体ユニットの上記長手方向に対して交差する側面上に設けられている。
【発明の効果】
【００１８】
上記の構成によれば、操作性に優れたタッチパネルと、そのようなタッチパネルを備えたメンテナンス性に優れるシリンジポンプを得ることができる。
【図面の簡単な説明】
【００１９】
【図１】実施の形態１におけるシリンジポンプ１０の上面および左側面等を示す斜視図である。
【図２】実施の形態１におけるシリンジポンプ１０の上面および右側面等を示す斜視図である。
【図３】実施の形態１におけるシリンジポンプ１０に備えられるタッチパネル２０をその正面から見た図である。
【図４】実施の形態１におけるシリンジポンプ１０に備えられるタッチパネル２０を示す斜視図である。
【図５】実施の形態１におけるシリンジポンプ１０に備えられるタッチパネル２０が操作されている様子を示す図である。
【図６】比較例におけるシリンジポンプに備えられるタッチパネル２０Ａをその正面から見た図である。
【図７】実施の形態２におけるシリンジポンプに備えられるタッチパネル２０Ｂを示す斜視図である。
【図８】実施の形態３におけるシリンジポンプ１０Ｃの上面および右側面等を示す斜視図である。
【図９】実施の形態４におけるシリンジポンプに備えられるタッチパネル２０Ｄをその正面から見た図である。
【図１０】他の実施の形態における輸液ポンプ１０Ｔを示す斜視図である。
【発明を実施するための形態】
【００２０】
実施の形態におけるタッチパネルついて、以下、図面を参照しながら説明する。同一の部品および相当部品には同一の参照番号を付し、重複する説明は繰り返さない場合がある。以下、シリンジポンプに適用されたタッチパネルに基づき各実施の形態を説明するが、以下に開示するタッチパネルに関する技術的思想は、シリンジポンプに限って適用できるというものではなく、たとえば輸液ポンプなどの各種の医療機器や、一般的な電気機器、産業機器にも適用可能である。
【００２１】
［実施の形態１］
（シリンジポンプ１０）
図１〜図５を参照して、実施の形態１におけるシリンジポンプ１０について説明する。シリンジポンプ１０は、外筒２および押子３を有するシリンジ１（図１）から薬液を送り出すために使用される。
【００２２】
図１は、シリンジポンプ１０の上面および左側面等を示す斜視図である。図２は、シリンジポンプ１０の上面および右側面等を示す斜視図であり、図１中の矢印ＩＩ方向から見たシリンジポンプ１０を表している。図３は、シリンジポンプ１０に備えられるタッチパネル２０をその正面から見た図であり、図２中の矢印ＩＩＩ方向から見たタッチパネル２０を表している。図４は、タッチパネル２０を示す（図２中のタッチパネル２０を拡大して示す）斜視図である。
【００２３】
図１〜図４（主として図１）を参照して、シリンジポンプ１０は、本体ユニット１１、保持部１２、駆動部１５、制御部１７（図２）、タッチパネル２０を備えている。本体ユニット１１は、シリンジ１の押子３の移動方向に対して平行となる長手方向に延びる形状を有している。
【００２４】
本体ユニット１１は、上面１１Ｔおよび側面１１Ｓを有しており、側面１１Ｓは、本体ユニット１１の長手方向に対して交差する位置に設けられている。本体ユニット１１の上面１１Ｔには、表示部１８および各種の操作ボタン１９が設けられている。詳細は後述するが、タッチパネル２０は、本体ユニット１１の側面１１Ｓ（右側面）上に設けられている。
【００２５】
保持部１２は、本体ユニット１１に設けられ、シリンジ１の外筒２を保持することができる。保持部１２は、載置部１３およびクランプ部１４を含む。シリンジ１の外筒２を載置部１３上に載置した後、クランプ部１４を回動させる。シリンジ１の外筒２が載置部１３とクランプ部１４とにより挟持されることで、シリンジ１の外筒２は本体ユニット１１に固定される。
【００２６】
駆動部１５は、保持部１２から見て側面１１Ｓに近い側に設けられる。駆動部１５は、差込部１６を有しており、シリンジ１（押子３）の端部５は、この差込部１６に差し込まれる。駆動部１５は、制御部１７（図２）によって駆動され、所定の設定条件に従って、シリンジ１の外筒２に対して押子３を移動させることができる。
【００２７】
シリンジ１の外筒２内には、図示しない薬液が充填されている。チューブの一端は、外筒２の先端ポート４に接続され、チューブの他端は、図示しない留置針等に接続される。駆動部１５の駆動により押子３が移動することで、シリンジ１内の薬液は、チューブを通して患者に投与されることとなる。
【００２８】
（タッチパネル２０）
図２〜図４を参照して、タッチパネル２０は、ユーザによるタッチ操作を受け付けることができる。上述のとおり、タッチパネル２０は、本体ユニット１１の側面１１Ｓ（右側面）上に設けられている。タッチパネル２０は、本体ユニット１１の左側面や、本体ユニット１１の上面１１Ｔ上に設けられていても構わない。
【００２９】
本体ユニット１１の側面１１Ｓには、タッチパネル２０の大きさと略同一の大きさを有する開口が設けられており、タッチパネル２０の表面はその開口の内側から露出している。タッチパネル２０の外周部分と開口の内周部分との間には、パッキンなどによって、防滴、防水、防沫等の構造が構成されている。
【００３０】
タッチパネル２０は、インターフェースユニット２１（図２）を介して制御部１７に接続されている。タッチパネル２０に入力されたタッチ操作によって発生した信号は、インターフェースユニット２１を介して制御部１７に出力される。
【００３１】
制御部１７は、インターフェースユニット２１からの信号（タッチパネル２０に入力されたタッチ操作）に基づき、シリンジ１から送り出される薬液の量に関する数値を設定値として設定し、その設定値を表示部１８に表示させたり、表示部１８に表示されている数値をその設定値に変更したりする。ここで言う「シリンジ１から送り出される薬液の量に関する数値」とは、薬液の流量、予定量、積算量など、薬液の投与量に直接的に関係する数値に限られず、各種の時間や、患者の身長、体重、年齢など、薬液の投与量に間接的に関係する数値も含まれている。
【００３２】
図３および図４に示すように、タッチパネル２０の表面には、内周操作部２２、外周操作部２３、区画部２４が設けられている。内周操作部２２は、円周方向に沿って延びる形状を有しており、本実施の形態では、内周操作部２２は１つの連続した円環形状を呈している。内周操作部２２は、円周方向に沿って並ぶように配置された複数の検知部２２Ｓ（図３）を有しており、タッチパネル２０上における円周方向のタッチ操作を受け付けることができる。
【００３３】
なお、内周操作部２２が複数の検知部２２Ｓを有しているという構成は必須ではく、タッチパネル２０上における円周方向のタッチ操作を受け付けることが可能であれば、内周操作部２２の動作原理としては、抵抗薄膜方式、表面弾性波方式、静電容量方式など、いずれの方式が採用されても構わない。
【００３４】
外周操作部２３は、内周操作部２２の外側に位置する。外周操作部２３も、円周方向に沿って延びる形状を有しており、本実施の形態では、外周操作部２３も１つの連続した円環形状を呈している。外周操作部２３は、円周方向に沿って並ぶように配置された複数の検知部２３Ｓ（図３）を有しており、タッチパネル２０上における円周方向のタッチ操作を受け付けることができる。
【００３５】
外周操作部２３が複数の検知部２３Ｓを有しているという構成も必須ではく、タッチパネル２０上における円周方向のタッチ操作を受け付けることが可能であれば、外周操作部２３の動作原理としては、抵抗薄膜方式、表面弾性波方式、静電容量方式など、いずれの方式が採用されても構わない。内周操作部２２と外周操作部２３とで異なる方式が採用されても構わない。
【００３６】
区画部２４は、内周操作部２２と外周操作部２３との間に形成され、円周方向に沿って延在する凸部から構成されている。内周操作部２２および外周操作部２３は、同一平面上に設けられているが、区画部２４は、当該平面から外方に向かって突出している（図４）。ユーザがタッチパネル２０を見なくても、区画部２４の存在によって、ユーザは内周操作部２２に触れているか外周操作部２３に触れているかを容易に認識することができる。
【００３７】
図５は、タッチパネル２０が操作されている様子を示す図である。上述のとおり、シリンジ１（図１）から送り出される薬液の量に関する数値（設定値）は、ユーザがタッチパネル２０に入力したタッチ操作に基づいて変更される。具体的には、制御部１７（図２）がタッチパネル２０に入力されたタッチ操作に基づいて上記設定値（たとえば、表示部１８に表示される数値）を変更する際、制御部１７は、内周操作部２２に対して円周方向における特定の角度θ（図５）の分だけタッチ操作が行われた場合には（矢印ＡＲ１）、上記設定値を第１変化量だけ変更する。
【００３８】
一方で、制御部１７（図２）がタッチパネル２０に入力されたタッチ操作に基づいて上記設定値を変更する際、制御部１７は、外周操作部２３に対して円周方向における特定の角度θの分だけタッチ操作が行われた場合には（矢印ＡＲ２）、上記設定値を第１変化量とは異なる第２変化量だけ変更する。好適には、第１変化量は、第２変化量よりも小さくなるように構成される。
【００３９】
たとえば、内周操作部２２に対し、円周方向における１５０°（特定の角度θ）の分だけタッチ操作が行われた場合には、換言すると、内周操作部２２の表面を円周方向に１５０°分だけなぞるようなスクロール操作が行われた場合には、制御部１７は、上記設定値（表示部１８に表示されている数値）のうち、一の桁の値を変更する。内周操作部２２に対するタッチ操作のスクロール方向に応じて、設定値は、たとえば、１５、１６、１７のように増加したり、１７、１６、１５のように減少したりする。
【００４０】
外周操作部２３に対し、円周方向における１５０°（特定の角度θ）の分だけタッチ操作が行われた場合には、換言すると、外周操作部２３の表面を円周方向に１５０°分だけなぞるようなスクロール操作が行われた場合には、制御部１７は、上記設定値（表示部１８に表示されている数値）のうち、十の桁の値を変更する。外周操作部２３に対するタッチ操作のスクロール方向に応じて、設定値は、たとえば、１５、２５、３５のように増加したり、３５、２５、１５のように減少したりする。
【００４１】
（作用および効果）
冒頭で述べたとおり、ユーザが設定値を設定する際、現在設定されている（表示部１８に表示されている）数値から数値を大きく変更したい場合もあるし、現在設定されている数値から数値をわずかに変更したい場合もある。
【００４２】
本実施の形態のシリンジポンプ１０においては、ユーザがタッチパネル２０の外周操作部２３に対して円周方向のタッチ操作（スクロール操作）を行なうことで、現在設定されている数値から設定値を大きく変更することができる。一方、ユーザがタッチパネル２０の内周操作部２２に対して円周方向のタッチ操作（スクロール操作）を行なうことで、現在設定されている数値から設定値をわずかに変更することができる。
【００４３】
従来のシリンジポンプに備えられたジョグダイヤル式の設定ダイヤルでは、数値を大きく変更する場合と数値を小さく変更する場合との両方の要求に対して、十分に満足できる操作性をユーザに提供することは難しかった。ジョグダイヤル式の設定ダイヤルを本体ユニットに２つ設けて、一方を変化量が大きくなるように構成し、他方を変化量が小さくなるように構成することで、そのような要求を満足することも可能であるが、この場合には装置が大きくなりやすい。本体ユニットの側面内に２つの設定ダイヤルを配置することも考えられるが、この場合には、各々の設定ダイヤルの大きさを大きくすることが難しく、十分な操作性を得ることも難しい。
【００４４】
これに対して本実施の形態のシリンジポンプ１０によれば、タッチパネル２０が、計２つの内周操作部２２および外周操作部２３を有している。区画部２４を挟んで隣接配置された内周操作部２２と外周操作部２３とを必要に応じて使い分けることによって、ユーザは迅速に数値設定を行なうことができるため、優れた操作性を実現することが可能である。また、ユーザがタッチパネル２０を見なくても、区画部２４の存在によって、ユーザは内周操作部２２に触れているか外周操作部２３に触れているかを容易に認識することが可能である。
【００４５】
すなわち、本体ユニット１１の正面には保持部１２や駆動部１５が設けられており、本体ユニット１１の上面１１Ｔには表示部１８および各種の操作ボタン１９が設けられている。本体ユニット１１の正面や上面１１Ｔにタッチパネル２０を設けた場合には、本体ユニット１１を小型化することが難しくなる。その場合に比べて、本体ユニット１１の側面１１Ｓにタッチパネル２０を設ける方が、本体ユニット１１を小型化しやすい。
【００４６】
ただし、タッチパネル２０を本体ユニット１１の側面１１Ｓに設けた場合には、ユーザがタッチパネル２０を視認しにくくなる。これに対して本実施の形態のシリンジポンプ１０においては、区画部２４の存在によって、ユーザは内周操作部２２に触れているか外周操作部２３に触れているかを容易に認識することが可能であり、小型化と良好な操作性との両立を図ることが可能となっている。
【００４７】
上述のとおり、内周操作部２２、外周操作部２３および区画部２４の各々は、１つの連続した円環形状を呈している（円環状に延びる形状を有している）。当該構成によれば、ユーザは内周操作部２２や外周操作部２３に触れたままで、円周方向に連続したタッチ操作（スクロール操作）を行なうことが可能となる。
【００４８】
上述のとおり、ユーザが内周操作部２２に対して円周方向のタッチ操作（スクロール操作）を行った場合に比べて、ユーザが外周操作部２３に対して円周方向のタッチ操作（スクロール操作）を行った場合の方が、設定値の変化量を大きくするとよい。外周操作部２３の方が内周操作部２２に比べてストローク可能範囲を大きく確保することができるため、この場合には設定値の大まかな調整を迅速かつ容易に行なうことが可能となる。
【００４９】
これとは逆に構成されてもよい。すなわち、ユーザが内周操作部２２に対して円周方向のタッチ操作（スクロール操作）を行った場合に比べて、ユーザが外周操作部２３に対して円周方向のタッチ操作（スクロール操作）を行った場合の方が、設定値の変化量を小さくしてもよい。外周操作部２３の方が内周操作部２２に比べてストローク可能範囲を大きく確保することができるため、この場合には設定値の細かな調整を迅速かつ容易に行なうことが可能となる。
【００５０】
冒頭で述べたとおり、シリンジ１内の薬液は、飛散したりシリンジポンプ１０上に漏洩したりする可能性がある。本実施の形態においては、タッチパネル２０が、ジョグダイヤル式の設定ダイヤルとは異なり物理的に回転するようには構成されていない。本体ユニット１１とタッチパネル２０との間には、ほとんど隙間が存在しておらず、好適には、パッキンなどによって、防滴、防水、防沫等の構造がこの隙間内に構成されている。
【００５１】
従来のシリンジポンプにおいては、本体ユニット（ダイヤル配置孔）と設定ダイヤルとの間の隙間に薬液が入り込むことがあったが、本実施の形態のシリンジポンプ１０においてはそのようなことはほとんどない。薬液が隙間の中で仮に固化したり硬化したりしたとしても、タッチパネル２０のスクロール操作に必要な抵抗が増大することはなく、ユーザが設定値を変更しにくくなることもない。タッチパネル２０は、本体ユニット１１に対して物理的に回転するような部位を有していないため、表面を拭くだけで汚れを簡単に除去することができる。
【００５２】
［比較例］
図６は、比較例におけるシリンジポンプに備えられるタッチパネル２０Ａをその正面から見た図である。タッチパネル２０Ａの表面には、操作部２５のみが設けられている。操作部２５は、円周方向に沿って並ぶように配置された複数の検知部２５Ｓを有しており、タッチパネル２０Ａ上における円周方向のタッチ操作（矢印ＡＲ３）を受け付けることができる。
【００５３】
タッチパネル２０Ａの場合、シリンジポンプの小型化、メンテナンス性という点においては一定程度の優位性を発揮できる。しかし、タッチパネル２０Ａには１つの操作部２５のみが設けられているため、数値を大きく変更する場合と数値を小さく変更する場合との両方の要求に対して、十分に満足できる操作性をユーザに提供することは難しい。
【００５４】
［実施の形態２］
図７は、実施の形態２におけるシリンジポンプに備えられるタッチパネル２０Ｂを示す斜視図である。上述の実施の形態１においては（図４）、タッチパネル２０の表面に設けられた区画部２４が、円周方向に沿って延在する凸部から構成されている。実施の形態１においては、内周操作部２２および外周操作部２３が同一平面上に設けられており、区画部２４は当該平面から外方に向かって突出している。
【００５５】
これに対して本実施の形態においては、タッチパネル２０Ｂの表面に、区画部２４の代わりに区画部２４Ａが設けられている。区画部２４Ａは、円周方向に沿って延在する段差から構成されている。内周操作部２２および外周操作部２３は、同一平面上には設けられておらず、内周操作部２２は、外周操作部２３に比べて凹んだ位置に設けられている。当該構成であっても、ユーザは、タッチパネル２０Ｂを見ることなく、区画部２４Ａの存在によって、内周操作部２２に触れているか外周操作部２３に触れているかを容易に認識することができる。
【００５６】
外周操作部２３が内周操作部２２に比べて凹んだ位置に設けられていても構わない。この場合、内周操作部２２が、外周操作部２３から外方に向かって突出するように配置される。当該構成であっても、ユーザは、タッチパネル２０Ｂを見ることなく、区画部２４Ａの存在によって、内周操作部２２に触れているか外周操作部２３に触れているかを容易に認識することができる。
【００５７】
［実施の形態３］
図８は、実施の形態３におけるシリンジポンプ１０Ｃの上面および右側面等を示す斜視図である。実施の形態１と実施の形態３とは、以下の点において相違している。すなわち、実施の形態３におけるシリンジポンプ１０Ｃにおいては、タッチパネル２０が、振動発生部２７をさらに備えている。
【００５８】
振動発生部２７は、たとえば本体ユニット１１の内部に配置され、タッチパネル２０がタッチ操作を受け付けたことに応答して振動を発生させ、タッチパネル２０の表面を振動させることができる。たとえば、円周方向のタッチ操作（スクロール操作）が一定の距離だけ行われる（進行する）たびに、振動発生部２７はユーザの指先に振動を与える。ユーザは、各種の数値を設定しているという感覚をより強く抱くことが可能となる。
【００５９】
薬液の流量、予定量、積算量など、薬液の投与量に直接的に関係する数値を設定している際にのみ振動を発生させ、各種の時間や、患者の身長、体重、年齢など、薬液の投与量に間接的に関係する数値を設定している際には振動を発生させないように構成することもできる。
【００６０】
［実施の形態４］
図９は、実施の形態４におけるシリンジポンプに備えられるタッチパネル２０Ｄをその正面から見た図である。実施の形態１と実施の形態４とは、以下の点において相違している。すなわち、実施の形態４のタッチパネル２０Ｄにおいては、内周操作部２２、外周操作部２３および区画部２４の各々が、半円弧の形状を有している。
【００６１】
当該構成によれば、実施の形態１におけるタッチパネル２０に比べて、本体ユニット１１の側面１１Ｓに対する占有範囲を小さくすることができる。空いているスペースを活用して、側面１１Ｓには、タッチパネル２０Ｄとは異なるタッチパネルや、他の操作手段を設けても構わない。タッチパネル２０Ｄの形状については、１８０°の半円弧形状に限られず、９０°、１２０°、１５０°、２４０°などの他の円弧形状であってもよい。
【００６２】
［他の実施の形態］
上述の各実施の形態においては、タッチパネルが、内周操作部２２および外周操作部２３の２つを有している。タッチパネルは、内周操作部２２の内側に、円周方向のタッチ操作を受け付けることが可能な他の操作部を有していてもよい。タッチパネルは、外周操作部２３の外側に、円周方向のタッチ操作を受け付けることが可能なさらに他の操作部を有していてもよい。
【００６３】
図１０を参照して、実施の形態の説明の冒頭箇所で述べたとおり、タッチパネル２０は、輸液ポンプ１０Ｔにも適用可能である。輸液ポンプ１０Ｔは、医療用の薬液を体内に注入する場合などに用いられる。タッチパネル２０は、輸液ポンプ１０Ｔのポンプ本体（ケーシング）の側面１１Ｓに設けられていてもよいし（図１０に示す構成）、ポンプ本体の前面１１Ｆに設けられていてもよい。タッチパネル２０が輸液ポンプ１０Ｔに設けられる場合であっても、上記の各実施の形態と略同様の作用および効果を得ることができる。
【００６４】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００６５】
１  シリンジ、２  外筒、３  押子、４  先端ポート、５  端部、１０，１０Ｃ  シリンジポンプ、１０Ｔ  輸液ポンプ、１１  本体ユニット、１１Ｓ  側面、１１Ｆ  前面、１１Ｔ  上面、１２  保持部、１３  載置部、１４  クランプ部、１５  駆動部、１６  差込部、１７  制御部、１８  表示部、１９  操作ボタン、２０，２０Ａ，２０Ｂ，２０Ｄ  タッチパネル、２１  インターフェースユニット、２２  内周操作部、２２Ｓ，２３Ｓ，２５Ｓ  検知部、２３  外周操作部、２４，２４Ａ  区画部、２５  操作部、２７  振動発生部、ＡＲ１，ＡＲ２，ＡＲ３  矢印。
【図１】
0006736981.tif 000002
【図２】
0006736981.tif 000003
【図３】
0006736981.tif 000004
【図４】
0006736981.tif 000005
【図５】
0006736981.tif 000006
【図６】
0006736981.tif 000007
【図７】
0006736981.tif 000008
【図８】
0006736981.tif 000009
【図９】
0006736981.tif 000010
【図１０】
0006736981.tif 000011